(57)【特許請求の範囲】
【請求項１】
無線接続の構造を有するマウスまたはトラックボール装置と、有線接続の構造を有する中継キーボードとを備え、
前記マウスまたは前記トラックボール装置は無線接続により前記中継キーボードに接続され、前記中継キーボードはメインフレームまたはレシーバに接続されているパソコン入力装置であって、
前記中継キーボードは、外部に選択機能を有する操作キーが設置され、内部に前記操作キーと対応するキー回路装置が設置され、
前記キー回路装置は設置されているキーボード伝送導線により前記メインフレームに連結され、
前記中継キーボードの内部の所定の位置には中継導線が設置され、前記中継導線は一端が赤外線レシーバに接続され、他端が前記キーボード伝送導線と並列して設置されている配列状導線または多芯ケーブルとともに延伸し、直接またはソケットプラグセットを介して前記メインフレームに連結され、
前記赤外線レシーバには導電装置が設置され、前記導電装置は前記中継キーボードに設置されている１組以上の赤外線センサと接続され、
前記赤外線センサは並列操作または切換スイッチによる選択操作可能に形成され、前記中継キーボードの内部または外部の所定の位置に設置され、前記マウスまたは前記トラックボール装置と所定の斜角で配置され、
前記マウスまたは前記トラックボール装置には所定の角度でＬＥＤなどの素子から赤外線発信素子が形成されている赤外線発信回路装置が設置され、
前記中継キーボードには１個以上の伝光装置が２個以上の赤外線発信方向を有するよう設置され、１個以上の赤外線信号の受信発信通路が２個以上の赤外線発信方向を有するように設置され、
前記赤外線発信回路装置は前記赤外線発射素子の並列操作または切換スイッチによる選択操作可能に形成され、切換え可能に形成され、左右両側に作動可能に形成されていることを特徴とするパソコン入力装置。
【請求項２】
前記中継キーボードには、１組以上の導光機能を有する導光覆いが設置され、前記導光覆いは光ファイバーまたは冷光導光板などの導光材料から形成されている線状、シート状またはその他の幾何形状の導光装置を介して前記赤外線センサまたは前記赤外線レシーバおよび前記赤外線センサに接続され、
前記マウスまたは前記トラックボール装置は赤外線接続されていることを特徴とする請求項１記載のパソコン入力装置。
【請求項３】
前記赤外線レシーバおよび前記赤外線センサは、前記中継キーボードに設置され、並列操作または切換スイッチによる選択操作可能に形成されていることを特徴とする請求項１記載のパソコン入力装置。
【請求項４】
前記中継キーボードには、１組以上の前記赤外線レシーバおよび前記赤外線レシーバと同数組の前記赤外線センサが設置され、
前記赤外線センサは所定の角度で前記中継キーボードに設置され、並列操作または切換スイッチによる選択操作可能に形成され、前記赤外線レシーバと接続されていることを特徴とする請求項１記載のパソコン入力装置。
【請求項５】
前記中継キーボードは、所定の位置に所定の角度で導光覆いが設置され、前記導光覆いは集光レンズ機能を有する面を有するよう形成され、干渉を減少するため前記中継キーボードに埋め込まれるよう設置されていることを特徴とする請求項１から４のいずれか一項記載のパソコン入力装置。
【請求項６】
前記中継キーボードには、赤外線受発信口が形成され、前記赤外線受発信口の近傍には引出式赤外線阻隔板、取付式赤外線阻隔板、磁気吸着式赤外線阻隔板、または閉塞可能な赤外線阻隔プラグが設置され、一部の前記赤外線受発信口に選択阻隔されるよう組み合わされていることを特徴とする請求項１記載のパソコン入力装置。
【請求項７】
前記赤外線信号受発信通路は、内壁に折射機能を有するよう前記中継キーボードに設置され、前記赤外線センサと接続され、
前記マウスまたは前記トラックボール装置の前記赤外線発信回路装置の信号が前記赤外線信号受発信通路に発信されるよう組み合わされ、折射機能により前記赤外線センサおよび前記赤外線レシーバに無線接続されるよう組み合わされ、
前記赤外線信号受発信通路の内壁は真空メッキ、折光塗料の塗布、その他塗料の塗布、折光金属シートを貼付けまたはその他赤外線を折射する方法により折斜面が形成されていることを特徴とする請求項１記載のパソコン入力装置。
【請求項８】
前記赤外線信号受発信通路は、受信方向が設定されているラッパ状の開口部が形成されていることを特徴とする請求項７記載のパソコン入力装置。
【請求項９】
前記赤外線信号受発信通路には、受発信口が形成され、前記受発信口には引出式赤外線阻隔板、取付式赤外線阻隔板、磁気性吸着式赤外線阻隔板または閉塞可能な赤外線阻隔プラグが、一部の前記受発信口が選択阻隔されるよう設置されていることを特徴とする請求項７記載のパソコン入力装置。
【請求項１０】
前記マウスまたは前記トラックボール装置は、前記中継キーボードに設置されている引出式赤外線阻隔板、取付式赤外線阻隔板、磁気性吸着式赤外線阻隔板または閉塞可能な赤外線阻隔プラグにより前記中継キーボードに設置されている一部の受発信口に選択阻隔されるよう配置されていることを特徴とする請求項１記載のパソコン入力装置。
【請求項１１】
無線接続の構造を有するマウスまたはトラックボール装置と、有線接続の構造を有する中継キーボードとを備え、
前記マウスまたは前記トラックボール装置は無線接続により前記中継キーボードに接続され、前記中継キーボードはメインフレームまたはレシーバに接続されているパソコン入力装置であって、
前記中継キーボードは、外部に選択機能を有する操作キーが設置され、内部に操作キーと対応するキー回路装置が設置され、前記キー回路装置は設置されているキーボード伝送導線により前記メインフレームに連結され、
前記中継キーボードの内部の所定の位置には中継導線が設置され、前記中継導線は一端が超音波レシーバに接続され、他端がキーボード伝送導線と並列に設置されている配列状導線または多芯ケーブルとともに延伸し、直接またはソケットプラグセットを介してメインフレームに接続され、
前記超音波レシーバには導電装置が設置され、前記導電装置は前記中継キーボードに設置されている１組以上の超音波センサに接続され、前記超音波センサは並列操作または切換スイッチによる選択操作可能に形成され、中継キーボードの内部または外部の所定の側壁に設置され、前記マウスまたは前記トラックボールと所定の斜角をなす位置に配置され、
前記マウスまたは前記トラックボール装置には１組の電声変換器から直接超音波発信素子が形成されている超音波発信回路装置が所定の角度で設置され、
前記中継キーボードには１個以上の伝音装置および１個以上の超音波信号受発信通路が２個以上の超音波発信方向を有するよう設置され、
前記マウスまたは前記トラックボール装置の前端部両側には所定の角度で２個以上の電声転換素子が設置され、
前記超音波発信回路装置は並列操作または切換スイッチによる電声変換素子の選択操作可能に設置され、切換え可能に形成され、左右両側で使用可能に形成されていることを特徴とするパソコン入力装置。
【請求項１２】
前記中継キーボードには、音波伝送機能を有する伝音材料から形成されている線状、シート状またはその他所定の幾何形状の前記伝音装置が設置され、１組の前記超音波レシーバおよび１組の前記超音波センサが設置され、前記伝音装置は前記超音波レシーバに設置されている対応する前記超音波センサに接続され、
前記中継キーボードは前記伝音装置を介して前記超音波センサに連結され、前記マウスまたは前記トラックボール装置が超音波無線接続されていることを特徴とする請求項１１記載のパソコン入力装置。
【請求項１３】
前記超音波レシーバおよび前記超音波センサは、前記中継キーボードに設置され、並列操作または切換スイッチによる選択操作可能に形成されていることを特徴とする請求項１１記載のパソコン入力装置。
【請求項１４】
前記超音波レシーバおよび前記超音波センサは、前記中継キーボードに所定の角度で設置され、
前記超音波センサは並列操作または切換スイッチによる選択操作可能に形成され、前記超音波レシーバと接続されていることを特徴とする請求項１１記載のパソコン入力装置。
【請求項１５】
前記伝音装置は、前記中継キーボードの所定の位置に所定の角度で設置され、音波集中機能を有する面が形成され、前記中継キーボードに埋め込まれるように設置されていることを特徴とする請求項１１記載のパソコン入力装置。
【請求項１６】
前記中継キーボードには、超音波受発信口が形成され、前記超音波受発信口には引出式超音波阻隔板、取付式超音波阻隔板殻体、磁気性吸着式超音波阻隔板、または閉塞可能な超音波阻隔プラグが設置され、一部の前記超音波受発信口に対し選択阻隔可能に組み合わされていることを特徴とする請求項１１記載のパソコン入力装置。
【請求項１７】
前記超音波信号受発信通路は、前記中継キーボードの内壁に設置され、折射機能を有し、前記超音波レシーバの前記超音波センサと接続され、
前記マウスまたは前記トラックボール装置の前記超音波発信回路装置の信号が前記超音波信号受発信通路に発信され、前記超音波センサおよび前記超音波レシーバに伝送され超音波接続され、
前記超音波信号受発信通路の内壁には真空メッキ、折光塗料の塗布、その他塗料の塗布、折光金属シートの貼付けまたはその他赤外線を折射する方法により折射面が形成されていることを特徴とする請求項１１記載のパソコン入力装置。
【請求項１８】
前記超音波信号受発信通路には、受信方向が設定されているラッパ状の開口部が形成されていることを特徴とする請求項１７記載のパソコン入力装置。
【請求項１９】
前記超音波信号受発信通路には、受発信口が形成され、前記受発信口には引出式超音波阻隔板、取付式超音波阻隔板、磁気性吸着式超音波阻隔板または閉塞可能な超音波プラグが設置され、一部の前記受発信口に対し選択阻隔可能に組み合わされていることを特徴とする請求項１７記載のパソコン入力装置。
【請求項２０】
前記マウスおよび前記トラックボール装置は、前記中継キーボードに設置されている引出式超音波阻隔板、取付式超音波阻隔板、磁気性吸着式超音波阻隔板または閉塞可能な超音波阻隔プラグにより前記中継キーボードに形成されている一部の受発信口に対し選択性阻隔が行われるよう配置されていることを特徴とする請求項１１記載のパソコン入力装置。
【請求項２１】
前記中継キーボードの所定の位置には、マウス用シート構造が所定の角度で一体的に形成され、前記マウス用シート構造は前記マウスまたは前記トラックボール装置の操作台であり、
前記マウス用シート構造は、前記マウスまたは前記トラックボール装置が前記中継キーボードと赤外線接続されるとき、前記中継キーボードに設置されている赤外線レシーバが前記マウスまたは前記トラックボール装置に設置されている前記赤外線発信回路装置に対応するように配置されていることを特徴とする請求項１記載のパソコン入力装置。
【請求項２２】
前記中継キーボードの所定の位置には、マウス用シート構造が所定の角度で一体的に形成され、前記マウス用シート構造は前記マウスまたは前記トラックボール装置の操作台であり、
前記マウス用シート構造は、前記マウスまたは前記トラックボール装置が前記中継キーボードと超音波無線接続されるとき、前記中継キーボードに設置されている超音波レシーバが前記マウスまたは前記トラックボール装置に設置されている超音波発信回路装置に対応するように配置されていることを特徴とする請求項１１記載のパソコン入力装置。
【請求項２３】
前記マウスまたは前記トラックボール装置は、ケーシングとキーボードが一体的に連結されているノードブック型コンピュータに設置され、
前記中継キーボードには内部連結設備が設置され、前記内部連結設備は一端が前記レシーバに形成されている無線受信回路装置に接続され、
前記無線受信回路装置は導電装置が設置され、前記中継キーボードの側部に設置されている無線センサに接続され、前記無線センサは並列操作または切換えスイッチによる選択操作可能に形成されていることを特徴とする請求項１または１１記載のパソコン入力装置機。
【請求項２４】
前記無線センサには、受発信口が形成され、前記受発信口には前記ケーシングに接続されている引出式赤外線阻隔板または超音波阻隔板、取付式赤外線阻隔板または超音波阻隔板、磁気性吸着式赤外線阻隔板または超音波阻隔板、或いは閉塞可能な赤外線阻隔プラグまたは超音波阻隔プラグが設置され、一部の前記受発信口に対し選択阻隔可能に組み合わされていることを特徴とする請求項２３記載のパソコン入力装置。
【発明の詳細な説明】
【０００１】
【発明の属する技術分野】
本発明は、パソコン（パーソナルコンピュータ）入力装置に関する。
【０００２】
【従来の技術】
従来より、キーボード、マウスおよびトラックボール等はコンピュータの便利な入力器具である。従来のコンピュータのメインフレームとキーボード、マウスおよびトラックボールの連結方法は、有線接続または無線接続である。有線接続は、通常、キーボード、マウスおよびトラックボールにそれぞれ導線が設置され、導線がコンピュータのメインフレームに連結されている。また、キーボード、マウスおよびトラックボールは一体的に形成され、コンピュータのメインフレームに連結されている。無線接続は、内部または外部に設置されるレシーバまたは一体的に形成されるレシーバを有し、無線伝送によりカーソルの操作機能、ページ巻き（SCROLL）機能およびキーイン等機能が提供される。
【０００３】
【発明が解決しようとする課題】
しかしながら、従来のコンピュータにキーボード、マウスおよびトラックボールが有線接続されるとき、必要な導線の数は多く、長いため導線が互いに絡みつく現象が発生する。無線接続はコストが高く、各装置には遮蔽と干渉が発生する。
【０００４】
そこで、本発明の目的は、導線の混乱および各装置間の遮蔽と干渉を避けることができるパソコン入力装置を提供することにある。
【０００５】
【課題を解決するための手段】
本発明のパソコン入力装置によると、マウスまたはトラックボール装置と、中継キーボードとを備える。マウスまたはトラックボール装置は、導電線または光ファイバーで直接または導線プラグソケットを介して連結される有線接続または赤外線接続、無線周波数接続または超音波接続である無線接続で中継キーボードに中継され、中央処理装置またはレシーバに接続されている。このため、導線の数および長さは減少し、卓上の導線の混乱は避けられる。また、パソコン入力装置は各装置間の遮蔽と干渉は避けられ、卓上で便利に使用される。マウスまたはトラックボール装置は中継キーボードと分離して使用され、実用性が高い。
【０００６】
【発明の実施の形態】
以下、本発明の実施の形態を図面に基づいて説明する。
本発明の一実施例によるパソコン入力装置は、マウスまたはトラックボール装置がキーボードセットに有線接続または無線接続される。キーボードセットは、マウスまたはトラックボール装置と中央処理装置の間およびレシーバ間を中継するよう形成されている。
【０００７】
図１から図４に示すように、本実施例の有線接続は、中継キーボード１を備え、中継キーボード１は外部に選択機能を有する操作キー１０が設置され、内部に操作キー１０と対応するキー回路装置１１が設置されている。キー回路装置１１はキーボード伝送導線１２によりメインフレーム２に連結されている。
【０００８】
中継導線１３は中継キーボード１の内部の所定の位置に設置され、キーボード伝送導線１２と並列の配列状導線または多芯ケーブルとともに延伸し、直接またはソケットプラグセットを介してメインフレーム２に連結される。中継導線１３は、中継キーボード１の左右両側、中間部、左側あるいは右側に必要に応じて１個以上並列に接続されている。同型または異なる型の従来のＰＳ２、ＵＳＢ、ＳＥＲＩＥＳまたは結合ソケット１４が設置され、結合ソケット１４は中継導線１３に連結される。
【０００９】
マウスまたはトラックボール装置の伝送導線３１１の一端には結合ソケット１４と連結されているプラグ３１２が設置されている。
マウスまたはトラックボール装置３１の伝送導線３１１にはプラグ３１２が設置され、プラグ３１２は中継導線１３の結合ソケット１４に差し込まれるため、導線の数は減少する。また、マウスまたはトラックボール装置３１の伝送導線３１１の長さは減少し、導線が混乱する現象が避けられる。
マウスまたはトラックボール装置と中継キーボード間は、導電線または光ファイバーで直接または導電プラグソケットにより有線接続されている。
【００１０】
図５から図１０に示すように、本発明の他の実施例によると、赤外線無線接続の構造を有し、中継キーボード１を備える。中継キーボード１は外部に操作キー１０が設置され、内部に操作キー１０と対応するキー回路装置１１が設置されている。キー回路装置１１はキーボード伝送導線１２によりメインフレーム２に連結されている。
【００１１】
中継導線１３は中継キーボード１の内部の所定の位置に設置されている。中継導線１３は一端が赤外線レシーバＲ１に接続され、他端がキーボード伝送導線１２と並列な配列状導線または多芯ケーブルとともに延伸し、直接またはソケットプラグセットを介してメインフレーム２に接続される。レシーバＲ１には導電装置１５が設置され、中継キーボード１の一側以上に設置されている１組以上の赤外線センサＳ１に接続されている。赤外線センサＳ１は必要に応じて並列操作または切換スイッチによる選択性操作が行われる。
【００１２】
図５に示すように、中継キーボード１の両側に１組の赤外線センサＳ１が設置されている。赤外線センサＳ１は、中継キーボード１の内部または外部の所定の位置に設置され、マウスまたはトラックボール装置３２に所定の角度の位置に配置され、信号の発信および受信が行われる。
【００１３】
図６に示すように、中継キーボード１には１組以上の光伝送機能を有する導光覆い１６が設置されている。導光覆い１６は光ファイバーまたは冷光導光板等導光材料から形成されている線状、シート状またはその他所定の幾何形状の導光装置１５１を介してレシーバＲ１の赤外線センサＳ１に連結されている。このため、マウスまたはトラックボール装置３２は中継キーボード１に赤外線無線接続されている。
図７に示すように、２組以上の赤外線レシーバＲ１および赤外線センサＳ１はともに中継キーボード１に設置され、必要に応じて並列操作または切換スイッチによる選択操作が行われる。
【００１４】
図８に示すように、１組以上の赤外線レシーバＲ１および赤外線レシーバＲ１に対応する数組の赤外線センサＳ１が設置されている。赤外線センサＳ１は中継キーボード１に所定の角度で設置され、必要に応じて並列操作または切換えスイッチによる選択操作が行われ、赤外線レシーバＲ１に連結されている。
図９に示すように、導光覆い１６は所定の角度で中継キーボード１の所定の側に設置され、必要に応じて集光レンズ機能を有する面が形成され、中継キーボード１に埋め込まれるよう設置され、干渉は減少する。中継キーボード１の赤外線受発信口には引出式赤外線阻隔板ＩＰ１０１、取付式赤外線阻隔板ＩＰ１０２、磁気性吸着式赤外線阻隔板ＩＰ１０３または閉塞可能な赤外線阻隔プラグＩＰ１０４が設置され、操作必要に応じて一部の受発信口に対し選択阻隔が行われ、干渉は減少する。
【００１５】
図１０に示すように、中継キーボード１の内壁には折射機能を有する赤外線信号受発信通路１５２が設置され、赤外線信号受発信通路１５２は赤外線レシーバＲ１の赤外線センサＳ１と接続されている。マウスまたはトラックボール装置３２の発信回路装置３２１の信号は赤外線信号受発信通路１５２に発信され、折射鏡面の伝送により赤外線センサＳ１および赤外線レシーバＲ１に無線接続される。赤外線信号受発信通路の内壁には真空メッキ、折光塗料の塗布、その他塗料の塗布、折光金属シートの貼付またはその他赤外線を折射する方法により折射面が形成されている。赤外線信号受発信通路１５２の開口部はラッパ状に形成され、受信方向が調節されるため干渉現象は減少する。赤外線信号受発信通路１５２の受発信口には引出式赤外線阻隔板ＩＰ１０１、取付式赤外線阻隔板ＩＰ１０２、磁気性吸着式赤外線阻隔板ＩＰ１０３または閉塞可能な赤外線阻隔プラグＩＰ１０４が設置され、操作環境の必要に応じて一部の受発信口に対し選択阻隔が行われ、干渉は減少する。
【００１６】
マウスまたはトラックボール装置３２にはＬＥＤなどの素子から形成されている赤外線発信素子３２１’の赤外線発信回路装置３２１が所定の角度で設置されている。マウスまたはトラックボール装置３２には１個以上の伝光装置１５１がさらに設置され、２個以上の赤外線発信方向を有するよう形成されている。
図１０に示すように、マウスまたはトラックボール装置３２には１個以上の赤外線信号の受信発信通路１６２が設置され、２個以上の赤外線発信方向を有するよう形成されている。
【００１７】
図１１に示すように、マウスまたはトラックボール装置３２には２組以上の赤外線発射素子３２１’が所定の角度で設置されている。１組の赤外線発信回路装置３２１、１組以上の赤外線発信素子３２１’または赤外線発信回路装置３２１では、図３５に示すように、必要に応じて並列操作あるいは切換スイッチによる赤外線発信素子３２１’の選択操作が行われる。図３６に示すように、赤外線発信回路装置３２１は切換え可能である。図３７に示すように、赤外線発信素子３２１’および赤外線発信回路装置３２１は同時に切換えられ、左右両側で使用可能である。
【００１８】
マウスまたはトラックボール装置３２の赤外線発信回路装置３２１の信号は赤外線センサＳ１へ発信され、赤外線レシーバＲ１へ伝送され、キーボード１を中継して無線接続される。このため、各装置間の遮蔽と干渉は避けられ、卓上で便利に使用できる。
【００１９】
図１２から図１８にように、本発明の他の実施例によるパソコン入力装置によると、超音波無線接続の構造を有する。中継キーボード１を備え、中継キーボード１は外部に選択機能を有する操作キー１０が設置され、内部に各作キー１０と対応するキー回路装置１１が設置されている。キー回路装置１１はキーボード伝送導線１２によりメインフレーム２に連結されている。
【００２０】
中継導線１３は中継キーボード１の内部の所定の位置に設置され、一端は超音波レシーバＲ２に接続され、他端はキーボード伝送導線１２と並列な配列状導線または多芯ケーブルとともに延伸し、直接またはソケットプラグセットを介してメインフレーム２に接続される。レシーバＲ２には導電装置１５が設置され、導電装置１５は中継キーボード１に設置されている１組以上の超音波センサＳ２に接続されている。超音波センサ２は必要に応じて並列操作または切換スイッチによる選択性切換操作が行われる。
【００２１】
図１２に示すように、中継キーボード１の両側にはそれぞれ１組の超音波センサＳ２が設置されている。超音波センサＳ２は中継キーボード１の内部または外部の所定の位置に設置され、必要に応じてマウスまたはトラックボール３２と所定の角度の位置に配置され、信号の発信受信は容易に行われる。
図１３に示すように、中継キーボード１で１組以上の音波伝送機能を有する伝音材料から形成されている線状、シート状またはその他幾何形状の伝音装置１６１がレシーバＲ２に接続されている超音波センサＳ２に連結されている。１組の超音波レシーバＲ２および１組の超音波センサＳ２は伝音装置１６１に接続されている。マウスまたはトラックボール装置３２は無線接続され、便利に利用される。
【００２２】
図１４に示すように、２組以上の超音波レシーバＲ２および超音波センサＳ２はともに中継キーボード１に設置され、必要に応じて並列操作または切換えスイッチによる選択操作が行われる。
図１５に示すように、１組以上超音波レシーバＲ２および超音波レシーバＲ２と対応する数組の超音波センサＳ１は、超音波センサＳ２が所定の角度で中継キーボード１に連結され、必要に応じて並列操作または切換スイッチによる選択性操作が行われ、超音波レシーバＲ２に接続されている。
【００２３】
図１６に示すように、伝音装置１６１は所定の角度で中継キーボード１の所定の側に連結され、必要に応じて音波集合機能を有する面が形成され、中継キーボード１に埋め込まれるよう設置され、干渉は減少する。中継キーボード１の超音波受信口には引出式超音波阻隔板２Ｐ２０１、取付式超音波阻隔板２Ｐ２０２、磁気性吸着式超音波阻隔板２Ｐ２０３または閉塞可能な超音波阻隔プラグＩＰ２０４が設置され、操作環境の必要に応じて一部の受発信口に対し選択阻隔が行われ、干渉は減少する。
【００２４】
図１７に示すように、中継キーボード１の内壁の所定の位置には折射機能を有する超音波信号受発信通路１６２が設置され、超音波信号受発信通路１６２は超音波レシーバＲ２の超音波センサＳ２と接続されている。このため、マウスまたはトラックボール装置３２の発信回路装置３２２の信号は超音波信号受発信通路１６２に発信され、折射機能を有する超音波信号受発信通路１６２で超音波センサＳ２とレシーバＲ２に伝送される。したがって、マウスまたはトラックボール装置３２は超音波無線接続される。超音波信号受発信通路１６２の内壁は真空メッキ、折光塗料の塗布、その他塗料の塗布、折光金属シートの貼付またはその他赤外線を折射する方法により折射面が形成されている。超音波信号受発信通路１６２の開口部はラッパ状に形成され、受信方向が調節され、干渉は減少する。超音波信号受発信通路１６２の受発信口には引出式超音波阻隔板２Ｐ２０１、取付式超音波阻隔板２Ｐ２０２、磁気性吸着式超音波阻隔板２Ｐ２０３、または閉塞可能な超音波阻隔プラグＩＰ２０４が設置され、操作環境の必要に応じて一部の受発信口に対し選択阻隔が行われ、干渉は減少する。
【００２５】
マウスまたはトラックボール装置３２には所定の角度で１組の電声変換器（ＴＲＡＮＳＤＵＣＥＲ）から超音波発信素子３２２’が形成されている超音波発信回路装置３２２が設置されている。
図１３に示すように、マウスまたはトラックボール装置３２の殻体には１個以上の伝音装置１６１が設置され、伝音装置１６１により２個以上の超音波発信方向を有するよう形成されている。
【００２６】
図１７に示すように、マウスまたはトラックボール装置３２には１個以上の超音波信号受発信通路１６２が設置され、２個以上の超音波発信方向を有するよう形成されている。
図１６に示すように、中継キーボード１の受発信口には引出式超音波阻隔板２Ｐ２０１、取付式超音波阻隔板２Ｐ２０２、磁気性吸着式超音波阻隔板２Ｐ２０３または閉塞可能な超音波阻隔プラグＩＰ２０４が設置され、操作環境の必要に応じて一部の受発信口に対し選択阻隔が行われ、干渉は減少する。
【００２７】
図１８に示すように、マウスまたはトラックボール装置３２の前端部両側には所定の角度で電声転換素子３２２’を有する１組以上の超音波発信回路装置３２２が設置され、必要に応じて並列操作される。
図３８に示すように、超音波発信回路装置３２２では切換スイッチにより電声変換素子３２２’の選択性操作が行われる。
図３９に示すように、超音波発信回路装置３２２は切換えられる。
図４０に示すように、複数の超音波発信回路装置３２２は同時に切換えられ、マウスまたはトラックボール装置３２は左右両側で使用可能である。
【００２８】
マウスまたはトラックボール装置３２の超音波発信回路装置３２２の信号は超音波センサＳ２に発信され、超音波レシーバＲ２へ伝送され、キーボード１を中継して無線接続される。各装置間の遮蔽と干渉は避けられ、装置は卓上で便利に使用される。
【００２９】
図１９に示すように、本発明の他の実施例によるパソコン入力装置の設置器具によると、無線周波数接続の構造を有し、中継キーボード１を備える。中継キーボード１は外部に選択機能を有する操作キー１０が設置され、内部に操作キー１０と対応するキー回路装置１１が設置されている。キー回路装置１１はキーボード伝送導線１２によりメインフレーム２に連結されている。
【００３０】
中継導線１３は中継キーボード１の内部の所定の位置に設置され、一端は周波数レシーバＲ３に接続され、他端はキーボード伝送導線１２と並列な配列状導線または多芯ケーブルとともに延伸し、直接またはソケットプラッグセットを介してメインフレーム２に接続されている。
【００３１】
マウスまたはトラックボール装置３２には無線周波数等無線結合回路装置３２３が設置されている。マウスまたはトラックボール装置３２の無線周波数発信回路装置３２３の信号は、無線周波数レシーバＲ３で受信され、キーボード１を中継して無線接続される。このため、各装置間の遮蔽と干渉は避けられ、卓上で便利に使用される。
【００３２】
図２０および図２１に示すように、本実施例の赤外線接続、超音波接続および無線周波数接続で、赤外線センサＳ１を含む赤外線レシーバＲ１、超音波センサＳ２を含む超音波レシーバＲ２または無線周波数レシーバＲ３である無線レシーバＲ０は中継キーボード１と分離して形成され、締め付け、嵌合、貼付または吸着定位置等により中継キーボード１に結合される。同型式または異なる型式の従来のＰＳ２、ＵＳＢ、ＳＥＲＩＥＳまたは専用介面プラグとソケットセットＰ０は中継キーボード１に設置されている中継導線１３に接続され、中継導線１３により中継キーボード１に接続されている。このため、マウスまたはトラックボール装置３２とレシーバＲ０は容易に無線接続されるよう形成されている。ケーシングは、一体的に形成されている。
【００３３】
本実施例は、マウス用シート構造１０１が中継キーボード１の所定の位置に所定の角度で一体成型されている。または、個別に形成された１個以上のマウス用シート構造１０１が中継キーボード１に結合されている。マウス用シート構造１０１はマウスまたはトラックボール装置３２の操作台に使用される。
【００３４】
図２２に示すように、中継キーボード１の一側にはマウス用シート構造１０１が一体成型されている。
図２３に示すように、中継キーボード１の両側にはマウス用シート構造１０１が一体成型されている。
図２５に示すように、中継キーボード１の両側には所定の角度でマウス用シート構造１０１が一体成型されている。
図２６に示すように、中継キーボード１の一側にはマウス用シート構造１０１が組み合わされ結合されている。
図２７に示すように、中継キーボード１の両側にはマウス用シート構造１０１が組み合わされ結合されている。
【００３５】
図２８および図２９に示すように、マウス用シート構造１０１と中継キーボード１に折り畳み可能に設置され、中継キーボード１の一側または両側に移動可能に設置されている。
図３０および図３１に示すように、マウス用シート構造１０１は中継キーボード１の下端部または両側に移動可能に設置されている。
【００３６】
マウスまたはトラックボール装置が有線接続されるとき、マウスまたはトラックボール装置のプラグ３１２が中継キーボード１の結合ソケット１４が対応する位置に配置されるようマウス用シート構造１０１は配置されている。
図５から図１１に示すように、マウスまたはトラックボール装置が赤外線無線接続されるとき、マウスまたはトラックボール装置の赤外線発射回路装置が赤外線センサＳ１を含む赤外線レシーバＲ１と対応する位置に設置されるようマウス用シート構造１０１は配置されている。
【００３７】
図１２から図１８に示すように、マウスまたはトラックボール装置が超音波無線接続されるとき、マウスまたはトラックボール装置の超音波発射回路装置が超音波センサＳ２を含む超音波レシーバＲ２と対応する位置に配置されるようマウス用シート構造１０１は配置されている。
図１９に示すように、マウスまたはトラックボール装置が無線周波数接続されるとき、マウスまたはトラックボール装置の無線周波数回路装置が無線周波数レシーバＲ３と対応する位置に配置されるよう設置されるようマウス用シート構造１０１は配置されている。
【００３８】
マウス用シート構造１０１は平面部が形成され、端部に突縁部が形成され、凹形に形成され、内部でマウスまたはトラックボール装置が使用されるとき、赤外線発信回路装置３２１、無線周波数発信回路装置３２３または超音波発信回路装置３２２は赤外線センサＳ１、無線周波数センサＳ２または超音波センサＳ３と良好に接続される。マウス用シート構造１０１は必要に応じて、中継キーボード１の左側または右側に結合される。
【００３９】
図３２に示すように、中継キーボード１の一側に設置されているマウス用シート構造１０１には、マウスまたはトラックボール装置３２が嵌入または差し込みにより固定される固定装置１７が設置され、マウスまたはトラックボール装置が固定され設置されている。
【００４０】
図３３および図３４に示すように、マウス用シート構造１０１は所定の位置に１個以上の取付孔１０２が形成され、中継キーボード１の底部の対応する側壁には１個以上の取付柱１８が設置されている。マウス用シート構造１０１は取付柱１８が差し込まれ、中継キーボード１に結合されている。
【００４１】
図５から図１８に示すように、マウスまたはトラックボール装置３２と対応するレシーバが方向性を有するよう良好に作動されるため、（Ａ）赤外線発信素子３２１’または赤外線発信素子３２１’と赤外線発信回路装置３２１より形成されている回路と無線マウスまたはトラックボール装置３２の間、（Ｂ）超音波電声変換素子３２２’または電声変換素子３２２’と超音波回路装置３２２より形成されている回路と無線マウスまたはトラックボール装置３２の間、（Ｃ）赤外線センサＳ１または赤外線センサＳ１と赤外線レシーバＲ１より形成されている回路と中継キーボード１の間、（Ｄ）超音波センサＳ２または超音波センサＳ２と超音波レシーバＲ２より形成されている回路と中継キーボード１間および赤外線センサＳ１または超音波センサＳ２と中継キーボード１の間は受発信角度調整設定機能を有するよう形成され、下記の構造を含む。
【００４２】
（１）水平角度調整可能な調整設定装置（図４１）
赤外線発信素子３２１’、超音波発信素子３２２’、赤外線受信素子Ｓ１、または超音波受信素子Ｓ２は回転軸ＳＨ１００に水平角度調整可能な調整設定装置Ｈ２００に設置され、外殻Ｈ１００と結合され、発信素子および受信素子Ｓ１００の受発信方向は調整される。
【００４３】
（２）上下仰角を調整可能な調整設定装置（図４２）
赤外線発信素子３２１’、超音波発信素子３２２’、赤外線受信素子Ｓ１または超音波受信素子Ｓ２は回転軸ＳＨ１００に上下仰角角度調整可能な調整設定装置Ｈ２０１に設置され、外殻Ｈ１００と結合され、発信素子および受信素子Ｓ１００の受発信方向は調整される。
【００４４】
（３）球状自在調整可能な調整設定装置（図４３）
赤外線発信素子３２１’、超音波発信素子３２２’、赤外線受信素子Ｓ１または超音波受信素子Ｓ２は球形凹台Ｐ１００に球形自在調整可能な調整設定装置Ｈ２０２に設置され、外殻Ｈ１００に結合され、発信素子および受信素子Ｓ１００の受発信方向は調整される。
【００４５】
（４）水平角度調整可能な赤外線または超音波定方向折射装置（図４４）
赤外線発信素子Ｓ１または超音波受信素子Ｓ２は、弧形折射レンズＬ１００を有する案内溝ＳＬ１００に水平折射角度調整可能な調整設定装置Ｈ２０２に設置され、外殻Ｈ１００と結合され、発信素子および受信素子Ｓ１００の受発信方向は調整される。
【００４６】
（５）垂直上下仰角を調整可能な赤外線または超音波定方向折射装置（図４５）
赤外線発信素子３２１’、超音波発信素子３２２’、赤外線受信素子Ｓ１または超音波受信素子Ｓ２は、弧形折射レンズＬ１０１を有する案内溝ＳＬ１０１に垂直上下折射仰角角度調整可能な調整設定装置Ｈ２０２に設置され、外殻Ｈ１００に結合され、発信素子および受信素子Ｓ１００の受発信方向は調整される。
【００４７】
（６）球状自在調整可能な赤外線または超音波定方向折射装置（図４６）
赤外線発信素子３２１’、超音波発信素子３２２’、赤外線受信素子Ｓ１または超音波受信素子Ｓ２は、凹入した球面が形成されている折射レンズＬ１０２を有する球形凹台Ｐ１００に球形自折射調整可能な調整設定装置Ｈ２０２に設置され、外殻Ｈ１００に結合され、発信素子および受信素子Ｓ１００の受発信方向は調整される。
【００４８】
調整設定装置または定方向折射装置はマウスまたはトラックボール装置、キーボードに設置されている発信素子、受信素子、発信回路および受信回路に対応して形成され、方向調整が可能である。
【００４９】
本実施例は、外殻とキーボードが一体的に形成されているノートブック型コンピュータに使用される。中継キーボードには内部連結設備が設置され、内部連結設備は一端が赤外線レシーバ、超音波レシーバまたは無線周波数レシーバから形成されている無線受信回路装置Ｒ０に接続されている。無線受信回路装置Ｒ０は導電装置を有し中継キーボード本体に設置されている１組以上の赤外線センサ、超音波センサまたは無線周波数センサＳ０と接続されている。センサＳ０は必要に応じて並列操作または切換えスイッチによる選択操作が行われる。中継キーボードに設置されている１組以上の赤外線センサまたは超音波センサＳ０には、中継キーボードの赤外線または超音波受発信口に接続されている引出式赤外線（または超音波）阻隔板ＩＰ１０１（ＩＰ２０１）、取付式赤外線（または超音波）阻隔板ＩＰ１０２（ＩＰ２０２）、磁気性吸着式赤外線（または超音波）阻隔板ＩＰ１０３（ＩＰ２０３）または閉塞可能な赤外線（または超音波）阻隔プラグＩＰ１０４（ＩＰ２０４）が設置されている。操作環境の必要に応じて一部の受発信口に対し選択性阻隔が行われ、干渉は減少する。
【００５０】
本実施例のキーボードを中継してマウスまたはトラックボール装置が接続される構造は簡単であり、操作が容易である。また、卓上の導線が絡みつく混乱は防止でき、各装置間の遮蔽と干渉は避けられる。このため、卓上環境が簡略化でき、実用性が高い。
【図面の簡単な説明】
【図１】本発明の一実施例による有線接続されるパソコン入力装置を示す模式図である。
【図２】本発明の一実施例による有線接続されるパソコン入力装置を示す模式図である。
【図３】本発明の一実施例による有線接続されるパソコン入力装置を示す模式図である。
【図４】本発明の一実施例による有線接続されるパソコン入力装置を示す模式図である。
【図５】本発明の他の実施例による赤外線接続されるパソコン入力装置を示す模式図である。
【図６】本発明の他の実施例による赤外線接続されるパソコン入力装置を示す模式図である。
【図７】本発明の他の実施例による赤外線接続されるパソコン入力装置を示す模式図である。
【図８】本発明の他の実施例による赤外線接続されるパソコン入力装置を示す模式図である。
【図９】本発明の一実施例による赤外線接続されるパソコン入力装置を示す模式図である。
【図１０】本発明の他の実施例による赤外線接続されるパソコン入力装置を示す模式図である。
【図１１】本発明の他の実施例による赤外線接続されるパソコン入力装置のマウスまたはトラックボール装置を示す模式図である。
【図１２】本発明の他の実施例による赤外線接続されるパソコン入力装置を示す模式図である。
【図１３】本発明の他の実施例による超音波接続されるパソコン入力装置を示す模式図である。
【図１４】本発明の他の実施例による超音波接続されるパソコン入力装置を示す模式図である。
【図１５】本発明の他の実施例による超音波接続されるパソコン入力装置を示す模式図である。
【図１６】本発明の他の実施例による超音波接続されるパソコン入力装置を示す模式図である。
【図１７】本発明の他の実施例による超音波接続されるパソコン入力装置を示す模式図である。
【図１８】本発明の他の実施例による超音波接続されるパソコン入力装置のマウスまたはトラックボールを示す模式図である。
【図１９】本発明の他の実施例による無線周波数接続されるパソコン入力装置を示す模式図である。
【図２０】本発明の他の実施例による無線周波数接続されるパソコン入力装置を示す模式図である。
【図２１】図２０の側面図である。
【図２２】本発明の一実施例によるパソコン入力装置のマウス用シート構造を示す模式図である。
【図２３】本発明の一実施例によるパソコン入力装置のマウス用シート構造を示す模式図である。
【図２４】本発明の一実施例によるパソコン入力装置のマウス用シート構造を示す模式図である。
【図２５】本発明の一実施例によるパソコン入力装置のマウス用シート構造を示す模式図である。
【図２６】本発明の一実施例によるパソコン入力装置のマウス用シート構造を示す模式図である。
【図２７】本発明の一実施例によるパソコン入力装置のマウス用シート構造を示す模式図である。
【図２８】本発明の一実施例によるパソコン入力装置のマウス用シート構造を示す模式図である。
【図２９】本発明の一実施例によるパソコン入力装置のマウス用シート構造を示す模式図である。
【図３０】本発明の一実施例によるパソコン入力装置のマウス用シート構造を示す模式図である。
【図３１】本発明の一実施例によるパソコン入力装置のマウス用シート構造を示す模式図である。
【図３２】本発明の一実施例によるパソコン入力装置の固定装置を示す模式図である。
【図３３】本発明の一実施例によるパソコン入力装置のマウス用シート構造を示す模式図である。
【図３４】本発明の一実施例によるパソコン入力装置のマウス用シート構造を示す模式図である。
【図３５】本発明の他の実施例による赤外線接続されるパソコン入力装置の赤外線発信回路装置を示す模式図である。
【図３６】本発明の他の実施例による赤外線接続されるパソコン入力装置の赤外線発信回路装置を示す模式図である。
【図３７】本発明の他の実施例による赤外線接続されるパソコン入力装置の赤外線発信回路装置を示す模式図である。
【図３８】本発明の他の実施例による超音波接続されるパソコン入力装置の超音波発信回路装置を示す模式図である。
【図３９】本発明の他の実施例による超音波接続されるパソコン入力装置の超音波発信回路装置を示す模式図である。
【図４０】本発明の他の実施例による超音波接続されるパソコン入力装置の超音波発信回路装置を示す模式図である。
【図４１】本発明の他の実施例による無線接続されるパソコン入力装置の調整設定構造を示す模式図である。
【図４２】本発明の他の実施例による無線接続されるパソコン入力装置の調整設定構造を示す模式図である。
【図４３】本発明の他の実施例による無線接続されるパソコン入力装置の調整設定構造を示す模式図である。
【図４４】本発明の他の実施例による無線接続されるパソコン入力装置の折射装置を示す模式図である。
【図４５】本発明の他の実施例による無線接続されるパソコン入力装置の折射装置を示す模式図である。
【図４６】本発明の他の実施例による無線接続されるパソコン入力装置の折射装置を示す模式図である。
【符号の説明】
１    中継キーボード
２    メインフレーム
１０    キー
１１    キー回路装置
１２    キーボード伝送導線
１３    中継導線
１４    結合ソケット
１５    導電装置
１６    導光覆い
１７    取付け装置
１８    取付柱
３１    マウスまたはトラックボール装置
３２    マウスまたはトラックボール装置
１０１    マウス用シート構造
１０２    取付孔
１５１    導光装置
１５２    赤外線信号受発信通路
１６２    超音波信号受発信通路
１６１    伝音装置
３１１    伝送導線
３１２    プラグ
３２１    赤外線発信回路装置
３２１’  赤外線発信素子
３２２    超音波発信回路装置
３２２’  電声変換器（TRANSDUCER）
３２３    無線周波数発信回路装置
【図１】
0004718671.tif 000002
【図２】
0004718671.tif 000003
【図３】
0004718671.tif 000004
【図４】
0004718671.tif 000005
【図５】
0004718671.tif 000006
【図６】
0004718671.tif 000007
【図７】
0004718671.tif 000008
【図８】
0004718671.tif 000009
【図９】
0004718671.tif 000010
【図１０】
0004718671.tif 000011
【図１１】
0004718671.tif 000012
【図１２】
0004718671.tif 000013
【図１３】
0004718671.tif 000014
【図１４】
0004718671.tif 000015
【図１５】
0004718671.tif 000016
【図１６】
0004718671.tif 000017
【図１７】
0004718671.tif 000018
【図１８】
0004718671.tif 000019
【図１９】
0004718671.tif 000020
【図２０】
0004718671.tif 000021
【図２１】
0004718671.tif 000022
【図２２】
0004718671.tif 000023
【図２３】
0004718671.tif 000024
【図２４】
0004718671.tif 000025
【図２５】
0004718671.tif 000026
【図２６】
0004718671.tif 000027
【図２７】
0004718671.tif 000028
【図２８】
0004718671.tif 000029
【図２９】
0004718671.tif 000030
【図３０】
0004718671.tif 000031
【図３１】
0004718671.tif 000032
【図３２】
0004718671.tif 000033
【図３３】
0004718671.tif 000034
【図３４】
0004718671.tif 000035
【図３５】
0004718671.tif 000036
【図３６】
0004718671.tif 000037
【図３７】
0004718671.tif 000038
【図３８】
0004718671.tif 000039
【図３９】
0004718671.tif 000040
【図４０】
0004718671.tif 000041
【図４１】
0004718671.tif 000042
【図４２】
0004718671.tif 000043
【図４３】
0004718671.tif 000044
【図４４】
0004718671.tif 000045
【図４５】
0004718671.tif 000046
【図４６】
0004718671.tif 000047